(57)【特許請求の範囲】
【請求項１】
複数の第１の通信装置と、前記複数の第１の通信装置の１つに接続可能な第２の通信装置と第３の通信装置とを備え、
前記第１の通信装置が、
前記第２の通信装置及び前記第３の通信装置の装置情報とグループ識別子とを取得する取得手段と、
前記装置情報と前記グループ識別子とを関連付けて記憶する記憶手段とを有し、
前記第２の通信装置及び前記第３の通信装置が、
前記第１の通信装置へ前記グループ識別子を送信するグループ識別子送信手段を有し、
前記第２の通信装置が、
複数の前記第１の通信装置の装置情報を記憶する第２記憶手段と、
前記第１の通信装置へ、前記第１の通信装置との切断の要求、または前記第１の通信装置との接続の要求を送信する送信手段とをさらに有し、
前記第１の通信装置が、
前記第２の通信装置から前記切断の要求を受信したとき、前記第２の通信装置との接続を切断し、前記第２の通信装置から前記接続の要求を受信したとき、前記第２の通信装置と接続する接続切替手段と、
前記切断の要求または前記接続の要求を送信した前記第２の通信装置の前記グループ識別子と対になる前記グループ識別子を有する前記第３の通信装置を特定する特定手段と、
特定された前記第３の通信装置へ、第１の通信装置との接続または切断を要求する連動手段とをさらに有し、
前記第３の通信装置が、前記第１の通信装置から送信される接続または切断の要求を受信し、前記第１の通信装置と接続または切断する切り替え手段をさらに有する、通信システム。
【請求項２】
複数の第１の通信装置と、前記複数の第１の通信装置の１つに接続可能な第２の通信装置と第３の通信装置とを備え、
前記第３の通信装置が、
前記第２の通信装置の装置情報とグループ識別子とを取得するグループ識別子取得手段と、
前記装置情報と前記グループ識別子とを関連付けて記憶する記憶手段と、
前記第３の通信装置のグループ識別子と対になるグループ識別子を有する前記第２の通信装置を特定し、特定された前記第２の通信装置と接続する監視用接続手段と、
前記第２の通信装置と前記第１の通信装置との接続状態を監視する監視手段と、
前記監視手段が、前記第２の通信装置が前記第１の通信装置との接続を変更したことを検出したとき、その変更が接続または切断のいずれであるかの情報と、前記第２の通信装置が接続または切断した相手である前記第１の通信装置の情報とを含む接続情報を前記第２の通信装置から取得する情報取得手段と、
取得された前記接続情報に基づいて、前記第３の通信装置と前記第１の通信装置との接続を切り替える切り替え手段とを有する、通信システム。
【請求項３】
複数の第１の通信装置と、前記複数の第１の通信装置の１つに接続可能な第２の通信装置と第３の通信装置とを備え、
前記第２の通信装置が、
前記第３の通信装置の装置情報とグループ識別子とを取得するグループ識別子取得手段と、
前記装置情報と前記グループ識別子とを関連付けて記憶する記憶手段と、
前記第２の通信装置のグループ識別子と対になる前記グループ識別子を有する前記第３の通信装置を特定し、特定した前記第３の通信装置と接続する通知用接続手段と、
前記第１の通信装置との接続を変更するとき、前記第１の通信装置との接続の変更が接続または切断のいずれであるかの情報と、接続または切断した相手である前記第１の通信装置の情報とを含む接続通知情報を、前記第３の通信装置へ通知する通知手段とを有し、
前記第３の通信装置が、
前記第２の通信装置から通知される前記接続通知情報に基づき、第１の通信装置との接続を切り替える切り替え手段をさらに有する、通信システム。
【請求項４】
前記第２の通信装置が、
前記第１の通信装置との接続ができなくなったことを検出したとき、前記第２記憶手段によって記憶されている他の前記第１の通信装置との接続を実行する、請求項１に記載の通信システム。
【請求項５】
前記第１の通信装置が、
前記第２の通信装置及び前記第３の通信装置と接続ができない状態になるとき、前記第２の通信装置へ、接続ができなくなることを通知する接続不可能通知手段をさらに有し、
前記第２の通信装置が、
前記第１の通信装置から、前記第１の通信装置が接続できなくなることを受信したとき、前記第２記憶手段によって記憶されている他の前記第１の通信装置との接続を実行する、請求項１に記載の通信システム。
【請求項６】
請求項１〜５のいずれかに記載の通信システムに適用される前記通信装置。
【請求項７】
請求項６に記載の通信装置の各手段を、コンピュータに実行させる通信プログラム。
【発明の詳細な説明】
【技術分野】
【０００１】
本発明は、無線方式で通信する通信装置で構成される通信システムに関する。
【背景技術】
【０００２】
近年、ワイヤレスキーボードやワイヤレスマウスを、パソコンなどの端末装置（以下、パソコンという。）に接続し、利用することが行われている。たとえば、ワイヤレスキーボードやワイヤレスマウスとパソコンとの接続方式は、Ｂｌｕｅｔｏｏｔｈ（登録商標。以下、Ｂｌｕｅｔｏｏｔｈという。）が採用される。
【０００３】
また、複数のパソコンを同時に稼働させるユーザが増えている。ユーザは複数台のパソコンを利用する場合であっても、スペースの都合などで一般的にキーボードとマウスとは一つずつしか設置しない。この場合、ユーザは事前にワイヤレスキーボードとワイヤレスマウスとを両方とも、全パソコンとペアリングしておく。ユーザが、使用するパソコンを替えるとき、キーボードとマウスとを、現在使用中のパソコンと切断し、次に使用するパソコンと接続しなくてはならない。使用するパソコンを切り替えるためには、ユーザはまずワイヤレスキーボードのキーを押下し、ワイヤレスキーボードの接続先のパソコンを他のパソコンへ切り替える。そして、現在使用中のパソコンの画面を操作して、ワイヤレスマウスの接続を切断し、次に使用するパソコンの画面を操作して、ワイヤレスマウスの接続をしなくてはならない。すなわち、ユーザはワイヤレスキーボード及びワイヤレスマウスとパソコンとの接続状態を切り替える際、ワイヤレスキーボードとワイヤレスマウスとの両方を手動で個別に設定する必要がある。
【０００４】
特開平１１−２７２４０９号公報には、マウスに設けられたスイッチを操作し、その操作情報がマウスと接続されるキーボードを介して端末の受信部に送信され、マウス及びキーボードと、パソコンとの接続の組み合わせを変更することが記載されている。
【０００５】
特開２００４−２２７２４４号公報には、ユーザの頭部に取り付けられた赤外線送信部と、パソコンの近傍に設けられた赤外線受信部とが通信し、ユーザが使用するパソコンの方向を向くことで、自動的にキーボード及びマウスとパソコンとの接続の組み合わせが切り替わることが記載されている。
【先行技術文献】
【特許文献】
【０００６】
【特許文献１】特開平１１−２７２４０９号公報
【特許文献１】特開２００４−２２７２４４号公報
【発明の概要】
【発明が解決しようとする課題】
【０００７】
本発明は上記従来の課題を解決するためになされたものであり、その目的は、端末装置に接続される２つ以上の通信装置の一方を、別の端末装置と接続したときに、もう一方の通信装置も自動的に同一の端末装置へ接続することができる通信システムを提供することである。
【課題を解決するための手段】
【０００８】
本発明の好ましい実施形態による通信システムは、複数の第１の通信装置と、前記複数の第１の通信装置の１つに接続可能な第２の通信装置と第３の通信装置とを備え、前記第１の通信装置が、前記第２の通信装置及び前記第３の通信装置の装置情報とグループ識別子とを取得する取得手段と、前記装置情報と前記グループ識別子とを関連付けて記憶する記憶手段とを有し、前記第２の通信装置及び前記第３の通信装置が、前記第１の通信装置へ前記グループ識別子を送信するグループ識別子送信手段を有し、
前記第２の通信装置が、複数の前記第１の通信装置の装置情報を記憶する第２記憶手段と、前記第１の通信装置へ、前記第１の通信装置との切断の要求、または前記第１の通信装置との接続の要求を送信する送信手段とをさらに有し、前記第１の通信装置が、前記第２の通信装置から前記切断の要求を受信したとき、前記第２の通信装置との接続を切断し、前記第２の通信装置から前記接続の要求を受信したとき、前記第２の通信装置と接続する接続切替手段と、前記切断の要求または前記接続の要求を送信した前記第２の通信装置の前記グループ識別子と対になる前記グループ識別子を有する前記第３の通信装置を特定する特定手段と、特定された前記第３の通信装置へ、第１の通信装置との接続または切断を要求する連動手段とをさらに有し、前記第３の通信装置が、前記第１の通信装置から送信される接続または切断の要求を受信し、前記第１の通信装置と接続または切断する切り替え手段をさらに有する。
【０００９】
第１の通信装置が、第２の通信装置から接続、または切断の要求を受信したとき、第１の通信装置は、第２の通信装置のグループ識別子と対になるグループ識別子を有する第３の通信装置を特定し、特定される第３の通信装置へ、接続、または切断の要求を送信する。これにより、ユーザが第２の通信装置を操作し、第２の通信装置と接続する第１の通信装置を、別の第１の通信装置へ変更すると、第３の通信装置も第２の通信装置が接続される通信装置と同一の第１の通信装置へ接続される。
【００１０】
好ましい実施形態においては、複数の第１の通信装置と、前記複数の第１の通信装置の１つに接続可能な第２の通信装置と第３の通信装置とを備え、前記第３の通信装置が、前記第２の通信装置の装置情報とグループ識別子とを取得するグループ識別子取得手段と、前記装置情報と前記グループ識別子とを関連付けて記憶する記憶手段と、前記第３の通信装置のグループ識別子と対になるグループ識別子を有する前記第２の通信装置を特定し、特定された前記第２の通信装置と接続する監視用接続手段と、前記第２の通信装置と前記第１の通信装置との接続状態を監視する監視手段と、前記監視手段が、前記第２の通信装置が前記第１の通信装置との接続を変更したことを検出したとき、その変更が接続または切断のいずれであるかの情報と、前記第２の通信装置が接続または切断した相手である前記第１の通信装置の情報とを含む接続情報を前記第２の通信装置から取得する情報取得手段と、取得された前記接続情報に基づいて、前記第３の通信装置と前記第１の通信装置との接続を切り替える切り替え手段とを有する。
【００１１】
第３の通信装置は、第２の通信装置と第１の通信装置との接続状態を、第２の通信装置と通信することで監視する。第３の通信装置は、第２の通信装置が第１の通信装置との接続を変更したことを検出したとき、第２の通信装置が実行する接続の変更と同一の接続の変更を実行する。これにより、ユーザが第２の通信装置を操作し、第２の通信装置と接続する第１の通信装置を、別の第１の通信装置へ変更すると、第３の通信装置も第２の通信装置が接続される通信装置と同一の第１の通信装置へ接続される。また、第１の通信装置は、第２の通信装置から接続または切断の要求を受信した場合、第３の通信装置に対して接続切替の指示を実行する必要がない。
【００１２】
本発明の別の好ましい実施形態による通信システムは、複数の第１の通信装置と、前記複数の第１の通信装置の１つに接続可能な第２の通信装置と第３の通信装置とを備え、前記第２の通信装置が、前記第３の通信装置の装置情報とグループ識別子とを取得するグループ識別子取得手段と、前記装置情報と前記グループ識別子とを関連付けて記憶する記憶手段と、前記第２の通信装置のグループ識別子と対になる前記グループ識別子を有する前記第３の通信装置を特定し、特定した前記第３の通信装置と接続する通知用接続手段と、前記第１の通信装置との接続を変更するとき、前記第１の通信装置との接続の変更が接続または切断のいずれであるかの情報と、接続または切断した相手である前記第１の通信装置の情報とを含む接続通知情報を、前記第３の通信装置へ通知する通知手段とを有し、前記第３の通信装置が、前記第２の通信装置から通知される前記接続通知情報に基づき、第１の通信装置との接続を切り替える切り替え手段をさらに有する
【００１３】
第２の通信装置は、第１の通信装置との接続を変更したとき、その変更内容を第３の通信装置へ通知する。第３の通信装置は、通知された接続情報に基づき、第１の通信装置との接続を変更する。これにより、ユーザが第２の通信装置を操作し、第２の通信装置と接続する第１の通信装置を、別の第１の通信装置へ変更すると、第３の通信装置も第２の通信装置が接続される通信装置と同一の第１の通信装置へ接続される。また、第３の通信装置は第２の通信装置の接続状態が変更されたか否かを監視する必要がない。
【００１４】
本発明の別の好ましい実施形態による通信システムは、前記第２の通信装置が、前記第１の通信装置との接続ができなくなったことを検出したとき、前記第２記憶手段によって記憶されている他の前記第１の通信装置との接続を実行する。
【００１５】
前記第２の通信装置は、前記第１の通信装置と接続できなくなったことを検出したとき、他の第１の通信装置を検索し、接続する。第２の通信装置から接続の要求を受信した他の第１の通信装置は、第２の通信装置と対になるグループ識別子を有する第３の通信装置と接続するので、ユーザは手動で第２の通信装置と第３の通信装置とを他の第１の通信装置へ接続させる必要がない。
【００１６】
本発明の別の好ましい実施形態による通信システムは、前記第１の通信装置が、前記第２の通信装置及び前記第３の通信装置と接続ができない状態になるとき、前記第２の通信装置へ、接続ができなくなることを通知する接続不可能通知手段をさらに有し、前記第２の通信装置が、前記第１の通信装置から、前記第１の通信装置が接続できなくなることを受信したとき、前記第２記憶手段によって記憶されている他の前記第１の通信装置との接続を実行する。
【００１７】
本実施形態によると、第１の通信装置は第２の通信装置または第３の通信装置と接続ができなくなるときに、その旨を通知し、第２の通信装置は、他の第１の通信装置を検索し、接続する。第２の通信装置から接続の要求を受信する他の第１の通信装置は、第２の通信装置と対になるグループ識別子を有する第３の通信装置と接続するので、ユーザは手動で第２の通信装置と第３の通信装置とを他の第１の通信装置へ接続させる必要がない。
【発明の効果】
【００１８】
端末装置に接続される２つ以上の通信装置の一方を、別の端末装置と接続したときに、もう一方の通信装置も自動的に同一の端末装置へ接続することができる。
【図面の簡単な説明】
【００１９】
【図１】本発明の好ましい実施形態による通信装置のブロック図である。
【図２】本発明の好ましい実施形態による通信装置の接続動作を示す図である。
【図３】グループＩＤを示す図である。
【図４】通信装置管理情報を示す図である。
【図５】通信装置管理情報を示す図である。
【図６】通信装置の接続動作を示す図である。
【図７】制御部１１の処理を示すシーケンスチャートである。
【図８】通信装置の接続動作を示す図である。
【図９】通信装置のブロック図である。
【図１０】通信装置管理情報を示す図である。
【図１１】制御部１１の処理を示すフローチャートである。
【図１２】制御部１１の処理を示すシーケンスチャートである。
【図１３】制御部１１の処理を示すシーケンスチャートである。
【図１４】通信装置の接続動作を示す図である。
【図１５】通信装置のブロック図である。
【図１６】通信装置管理情報を示す図である。
【図１７】制御部１１の処理を示すシーケンスチャートである。
【図１８】通信装置の接続動作を示す図である。
【図１９】制御部１１の処理を示すシーケンスチャートである。
【図２０】通信装置の接続動作を示す図である。
【図２１】制御部１１の処理を示すシーケンスチャートである。
【発明を実施するための形態】
【００２０】
以下、本発明の好ましい実施形態による通信装置について、図面を参照して具体的に説明するが、本発明はこれらの実施形態には限定されない。図１は、本発明の好ましい実施形態による通信システムを構成する通信装置のブロック図である。
【００２１】
通信装置１００Ａ１及び通信装置１００Ａ２は、たとえばパソコン等である。通信装置１００Ｂ１はたとえばワイヤレスキーボード、通信装置１００Ｂ２はたとえばワイヤレスマウスである。図１のブロック図では通信装置１００Ａ１が通信装置１００Ｂ１及び通信装置１００Ｂ２と接続されている。なお、特に区別する必要がない場合は、通信装置１００Ａ１、通信装置１００Ａ２、通信装置１００Ｂ１及び通信装置１００Ｂ２を単に通信装置１００という。
【００２２】
通信装置１００は、制御部１１と、記憶部１２と、通信部１３とを概略備える。
【００２３】
制御部１１は、記憶部１２に格納されたプログラムを実行することにより、通信装置１００を制御するものであり、たとえばマイコンやＣＰＵ等である。
【００２４】
記憶部１２は、たとえばＲＯＭやＲＡＭである。記憶部１２は、通信装置管理情報１２Ａ及びＨＩＤプロファイル１２Ｃを備える。通信装置管理情報１２Ａは、自装置以外の他の通信装置１００の情報を格納するテーブルである。ＨＩＤプロファイル１２Ｃは、無線通信用のプロトコルである。Ｂｌｕｅｔｏｏｔｈの規格には複数のプロファイルが規定されており、通信装置１００はお互いに同一のプロファイルを利用して通信する。ＨＩＤプロファイル１２Ｃは、ヒューマンインターフェースデバイス（たとえば、キーボードやマウスなど）がＢｌｕｅｔｏｏｔｈ規格で通信するために利用されるプロファイルである。たとえば、通信装置１００Ｂ１と、通信装置１００Ａ１とは両方ともＨＩＤプロファイル１２Ｃを有するので、通信装置１００Ａ１は通信装置１００Ｂ１と接続及び通信が可能である。すなわち、通信装置１００Ａ１と通信装置１００Ｂ１、及び通信装置１００Ａ１と通信装置１００Ｂ２とは、それぞれＨＩＤプロファイル１２Ｃで通信する。
【００２５】
通信装置１００Ｂ１と通信装置１００Ｂ２とはグループＩＤ１２Ｂを有する。グループＩＤ１２Ｂとは、文字列や数値で構成される識別子であり、対になって相手の通信装置１００と接続または切断されるべき通信装置１００には、同一のグループＩＤ１２Ｂが付される。たとえば、通信装置１００Ｂ１と通信装置１００Ｂ２とは、対になって通信装置１００Ａ１または通信装置１００Ａ２と接続されるので、通信装置１００Ｂ１と通信装置１００Ｂ２とは同一のグループＩＤ１２Ｂを有する。通信装置１００Ａ１と通信装置１００Ａ２とは、特に対になって動作する通信装置１００ではないので、グループＩＤ１２Ｂを備えない。なお、対になって接続または切断される通信装置１００のグループＩＤ１２Ｂは必ずしも同一の値である必要はない。
【００２６】
通信部１３は、通信装置１００が他の通信装置１００と通信し、データを送受信する。通信装置１００Ａ１及び通信装置１００Ａ２の通信部１３は、通信装置１００Ｂ１及び通信装置１００Ｂ２の通信部１３とから送信される、キーボードのキー情報や、マウスの移動情報を受信する。
【００２７】
ここで、通信装置１００Ｂ１のみに備えられる切り替えスイッチ１４は、ユーザによって操作されるスイッチであり、たとえばキーボードのキーである。たとえば、通信装置１００Ｂ１のキーボードの任意のキーに、通信装置１００Ａ１または通信装置１００Ａ２のいずれと接続するかが割り当てられている。そして、ユーザが通信装置１００Ｂ１において通信装置１００Ａ１が割り当てられているキーを押下した場合、通信装置１００Ｂ１は通信装置１００Ａ１と接続し、ユーザが通信装置１００Ｂ１において通信装置１００Ａ２が割り当てられているキーを押下した場合、通信装置１００Ｂ１は通信装置１００Ａ２と接続する。なお、キーの割り当てについての詳細は、後述する図２（ｂ）で説明する。
【００２８】
通信装置１００Ａ１が通信装置１００Ｂ１及び通信装置１００Ｂ２と接続されているときに、通信装置１００Ｂ１においてユーザが切り替えスイッチ１４を押下し、接続先の通信装置１００を、通信装置１００Ａ１から通信装置１００Ａ２へ切り替えた場合、通信装置１００Ｂ１の制御部１１は通信装置１００Ａ１へ切断の要求を送信する。通信装置１００Ａ１の制御部１１は、切断要求を受信したとき、通信装置１００Ｂ１と切断した後、通信装置１００Ｂ１のグループＩＤ１２Ｂと同一のグループＩＤ１２Ｂを有する通信装置１００Ｂ２を特定し、通信装置１００Ｂ２との接続を切断する。そして、通信装置１００Ｂ１の制御部１１は通信装置１００Ａ２へ接続の要求を送信する。通信装置１００Ａ１と同一の構成を備える通信装置１００Ａ２の制御部１１は、通信装置１００Ｂ１から接続の要求を受信する。通信装置１００Ａ２の制御部１１は、通信装置１００Ｂ１と接続した後、通信装置１００Ｂ１のグループＩＤ１２Ｂと同一のグループＩＤ１２Ｂを有する通信装置１００Ｂ２を特定し、通信装置１００Ｂ２と接続する。すなわち、ユーザは通信装置１００Ｂ１において接続先の通信装置１００を通信装置１００Ａ１から通信装置１００Ａ２へ切り替える操作をした場合、通信装置１００Ｂ２も、通信装置１００Ａ１から通信装置１００Ａ２との接続へ切り替えられる。
【００２９】
図２は、通信装置１００が他の通信装置１００と相互に認証し、ネットワークを形成するときの概要動作を示す。ネットワークとは、たとえばＢｌｕｅｔｏｏｔｈのピコネットである。以下、ネットワークを形成するときの概要を説明する。
【００３０】
通信装置１００Ａ１は、Ｂｌｕｅｔｏｏｔｈ規格で動作する通信装置１００を探索し、他の通信装置１００Ｂ１を検出する（図２（ａ））。通信装置１００Ａ１は、通信装置１００Ｂ１に接続し、ペアリング処理とグループＩＤ１２Ｂの取得処理とを実行する（図２（ｂ））。ペアリング処理とは、認証キーの送受信などである。グループＩＤ１２Ｂは、各通信装置１００が有するグループ情報である。図３は、通信装置１００Ｂ１のグループＩＤ１２Ｂを示す。通信装置１００Ｂ１は「Ｙ」というグループＩＤ１２Ｂを有する。なお、このグループＩＤ１２Ｂは、予め通信装置１００Ｂ１に設定されていてもよいし、ユーザが設定してもよい。通信装置１００Ｂ１及び通信装置１００Ｂ２は、グループＩＤ１２Ｂを図２（ｂ）において相手の通信装置１００へ送信する。通信装置１００Ａ１は、次の通信装置１００との接続及び認証を実行するために、通信装置１００Ｂ１との接続を切断する（図２（ｃ））。通信装置１００Ａ１は、図２（ａ）の処理によって検出されるすべての通信装置１００（通信装置１００Ａ１及び通信装置１００Ｂ２〜１００Ｃ２）について図２（ａ）〜図２（ｃ）の処理を実行する。さらに、通信装置１００Ａ２〜通信装置１００Ｃ２も、図２（ａ）〜図２（ｃ）の処理を実行する。以上の処理により、図２（ｄ）のネットワークが形成される。なお、各通信装置１００は、すでに認識済みの相手の通信装置１００と再度認証処理を実行する必要はない。また、通信装置１００Ａ１及び通信装置１００Ａ２はグループＩＤ１２Ｂを有さないので、図２（ｂ）の処理において通信装置１００Ａ１及び通信装置１００Ａ２はグループＩＤ１２Ｂをペアリングする相手の通信装置１００へ送信する必要はない。
【００３１】
ネットワークが形成された後、各通信装置１００は、他の通信装置１００を相互に認識しており、通信装置管理情報１２Ａにネットワーク内の他の通信装置１００の情報を格納している。通信装置１００は、複数の他の通信装置１００と同時に接続できず、１つの通信装置１００のみと同時に接続が可能である、１：１の通信方式を採用している。また、切り替えスイッチ１４を有する通信装置１００Ｂ２が通信装置１００Ａ１または通信装置１００Ａ２と図２（ｂ）の処理を実行するとき、通信装置１００Ｂ２はキーボード上の任意のキーに相手の通信装置１００の情報を割り付ける。たとえば、ファンクションキー１（以下、Ｆ１キーという。）には通信装置１００Ａ１が割り当てられ、ファンクションキー２（以下、Ｆ２キーという。）には通信装置１００Ａ２が割り当てられる。キーの割り当ては、ユーザが実行する。たとえば、通信装置１００Ｂ１が通信装置１００Ａ２とペアリングするとき、ユーザがＦ２キーを長押しすると、通信装置１００Ｂ１のＦ２キーに通信装置１００Ａ２が割り当てられる。その結果、たとえば、ユーザが通信装置１００Ｂ１のＦ２キーを押下すると、通信装置１００Ｂ１は通信装置１００Ａ２と接続を開始できる。
【００３２】
図４は、通信装置１００Ａ１が記憶する通信装置管理情報１２Ａ（ａ１）を示す。通信装置管理情報１２Ａ（ａ１）は、ネットワーク内の他の通信装置１００の装置ＩＤと、図２（ｂ）のグループＩＤ１２Ｂ取得処理によって取得されたグループＩＤ１２Ｂとを対応付けて管理する。装置ＩＤは、図２（ｂ）において通信装置１００が相互に交換しあい、登録する情報であり、たとえば、通信装置１００のアドレスと暗号鍵との組み合わせである。なお、図４の通信装置管理情報１２Ａ（ａ１）では通信装置１００Ａ２の装置ＩＤを単に「１００Ａ２」等と略して記述する。図４の通信装置管理情報１２Ａ（ａ１）において、通信装置１００Ａ２はグループＩＤ１２Ｂを有さないので、通信装置管理情報１２Ａ（ａ１）の通信装置１００Ａ２のグループＩＤ１２Ｂは空である。
【００３３】
図５は、通信装置１００Ｂ１が記憶する通信装置管理情報１２Ａ（ｂ１）を示す。通信装置１００Ｂ１は、ワイヤレスキーボードを仮定しているので、通信装置管理情報１２Ａ（ｂ１）は「キー割り当て」項目を有する。たとえば、図５の通信装置管理情報１２Ａ（ｂ１）において、通信装置１００Ａ１に対してＦ１キーが割り当てられており、通信装置１００Ａ２に対してＦ２キーが割り当てられている。したがって、ユーザが通信装置１００Ｂ１において、Ｆ１キーを押下すると、通信装置１００Ｂ１は通信装置１００Ａ１と接続し、ユーザがＦ２キーを押下すると、通信装置１００Ｂ１は通信装置１００Ａ２と接続する。
【００３４】
[通信装置１００が接続を切り替える実施形態１]
図６は、通信装置１００Ｂ１及び通信装置１００Ｂ２が、通信装置１００Ａ１と接続中に、通信装置１００Ｂ１が通信装置１００Ａ１との接続から通信装置１００Ａ２との接続へ切り替えるときの第１の実施形態の概要動作を示す。図７は、図６の切り替え処理において各通信装置１００の制御部１１が実行するシーケンスチャートを示す。
【００３５】
本実施形態によると、通信装置１００Ａ１は、通信装置１００Ｂ１から切断要求を受信したとき、通信装置１００Ｂ１と同一グループＩＤ１２Ｂを有する通信装置１００Ｂ２との接続を切断し、通信装置１００Ａ２は、通信装置１００Ｂ１から接続要求を受信したとき、通信装置１００Ｂ１と同一グループＩＤ１２Ｂを有する通信装置１００Ｂ２と新たに接続する。
【００３６】
以下、「通信装置１００Ａ１の制御部１１」を単に「通信装置１００Ａ１」、「通信装置１００Ａ２の制御部１１」を単に「通信装置１００Ａ２」、「通信装置１００Ｂ１の制御部１１」を単に「通信装置１００Ｂ１」、「通信装置１００Ｂ２の制御部１１」を単に「通信装置１００Ｂ２」という。
【００３７】
まず、通信装置１００Ａ１は、通信装置１００Ｂ１及び通信装置１００Ｂ２と接続中である(図６（１）)。
通信装置１００Ｂ１は、切り替えスイッチ１４が押下されたことを検出する（Ｓ１０１）。通信装置１００Ｂ１は、図５の通信装置管理情報１２Ａ（ｂ１）を参照し、Ｓ１０１で検出したキーに割り当てられている通信装置１００を特定する（Ｓ１０２）。たとえば、Ｆ２キーが押下されたとき、通信装置１００Ｂ１は通信装置１００Ａ２へ切り替えると判断し、通信装置１００Ａ１へ接続を切断する要求を送信する（Ｓ１０３、図６（２））。
【００３８】
通信装置１００Ａ１は、通信装置１００Ｂ１からの切断要求を受信し、通信装置１００Ｂ１との接続を切断する（Ｓ１０４）。通信装置１００Ａ１は、Ｓ１０３の要求を送信した通信装置１００のグループＩＤ１２Ｂと対になるのグループＩＤ１２Ｂを有する通信装置１００が図４の通信装置管理情報１２Ａ（ａ１）に記憶されているか否かを判断し（Ｓ１０５）、記憶されていないと判断された場合（Ｓ１０５でＮＯ）、通信装置１００Ａ１は処理を終了する。通信装置１００Ａ１は、Ｓ１０３の要求を送信した通信装置１００のグループＩＤ１２Ｂと同一のグループＩＤ１２Ｂを有する通信装置１００が図４の通信装置管理情報１２Ａ（ａ１）に記憶されていると判断した場合（Ｓ１０５でＹＥＳ）、その通信装置１００（通信装置１００Ｂ２）へ切断を要求する（Ｓ１０６、図６（３））。
【００３９】
通信装置１００Ｂ２は、通信装置１００Ａ１から受信する切断要求に従い、通信装置１００Ａ１との切断を実行する（Ｓ１０７）。
【００４０】
次に通信装置１００Ｂ１は、通信装置１００Ａ２へ接続要求を送信する（Ｓ１０８、図６（４））。通信装置１００Ａ２は、接続要求を受信し、通信装置１００Ｂ１と接続する（Ｓ１０９）。通信装置１００Ａ２は、接続要求を送信した通信装置１００Ｂ１と対になるグループＩＤ１２Ｂを有する通信装置１００が通信装置管理情報１２Ａに登録されているか否かを判断し（Ｓ１１０）、登録されていると判断した場合（Ｓ１１０でＹＥＳ）、通信装置１００Ｂ１と対になるグループＩＤ１２Ｂを有する通信装置１００Ｂ２へ、接続要求を送信する（Ｓ１１１、図６（５））。通信装置１００Ｂ２は、通信装置１００Ａ２から受信した接続要求に従い、通信装置１００Ａ２と接続する（Ｓ１１２）。この結果、通信装置１００Ｂ１及び通信装置１００Ｂ２は、通信装置１００Ａ２と接続された状態になる（図６（６））。通信装置１００Ａ２は、Ｓ１１０の処理において接続要求を送信した通信装置１００Ｂ１と対になるグループＩＤ１２Ｂを有する通信装置１００が通信装置管理情報１２Ａに登録されていないと判断した場合（Ｓ１１０でＮＯ）、処理を終了する。
【００４１】
以上の実施形態１によると、ユーザは通信装置１００Ｂ１において接続先を通信装置１００Ａ１から通信装置１００Ａ２へ切り替える操作をするだけで、通信装置１００Ｂ２も自動的に通信装置１００Ａ２へ接続される。なお、通信装置１００Ｂ１が有する切り替えスイッチ１４と等価なスイッチを通信装置１００Ｂ２に備え、通信装置１００Ｂ２が上記した通信装置１００Ｂ１の代わりに上記処理を実行してもよい。
【００４２】
[通信装置１００が接続を切り替える実施形態２]
図８は、第２の実施形態の概要動作を示す。図９は、実施形態２を実行するときの通信システムにおける通信装置１００のブロック図を示す。図１のブロック図に加え、通信装置１００Ｂ１と通信装置１００Ｂ２とは、ＳＰＰプロファイル１２Ｄを有する。ＳＰＰプロファイル１２Ｄは、通信装置１００Ｂ１と通信装置１００Ｂ２とが、シリアルで通信するためのプロファイルである。また、通信装置１００Ｂ２は、接続状態変更監視部１１Ｂを有する。接続状態変更監視部１１Ｂは、通信装置１００Ｂ２が、通信装置１００Ｂ１の接続状態をＳＰＰプロファイル１２Ｄを用いて監視し、通信装置１００Ｂ１の接続状態が変更されたとき、通信装置１００Ｂ１の接続状態の変更を検出する。なお、本実施形態において、通信装置１００Ａ１及び通信装置１００Ａ２は、通信装置管理情報１２Ａに、グループＩＤ１２Ｂを有する必要はない。
【００４３】
図１０は、通信装置１００Ｂ２が有する通信装置管理情報１２Ａ（ｂ２）を示す。通信装置管理情報１２Ａ（ｂ２）は、自装置以外の通信装置１００の装置ＩＤと、グループＩＤ１２Ｂとを管理する。通信装置１００Ｂ２は、同一のグループＩＤ１２Ｂを有する通信装置１００を、監視対象の通信装置１００であると判断する。
【００４４】
図１１は、通信装置１００Ｂ２が通信装置１００Ｂ１の監視を開始するときに通信装置１００Ｂ２の制御部１１が実行する処理のフローチャートを示す。
【００４５】
通信装置１００Ｂ２は、図２で示したネットワーク構築処理を完了する（図２（ｄ）、Ｓ２０１）。通信装置１００Ｂ２は、図１０の通信装置管理情報１２Ａ（ｂ２）を参照し、自装置のグループＩＤ１２Ｂと同一のグループＩＤ１２Ｂを有する通信装置１００が存在するか否かを判断する（Ｓ２０２）。
【００４６】
通信装置１００Ｂ２は、同一のグループＩＤ１２Ｂを有する通信装置１００を特定できた場合（Ｓ２０２でＹＥＳ）、特定された通信装置１００と接続し、ＳＰＰプロファイル１２Ｄで接続状態の監視を開始する（Ｓ２０３）。通信装置１００Ｂ２は、同一のグループＩＤ１２Ｂを有する通信装置１００が図１０の通信装置管理情報１２Ａ（ｂ２）に登録されていないと判断した場合（Ｓ２０２でＮＯ）、処理を終了する。図１０の通信装置管理情報１２Ａ（ｂ２）の場合、通信装置１００Ｂ１は、通信装置１００Ｂ２と同一のグループＩＤ１２Ｂを有するので、Ｓ２０３で通信装置１００Ｂ１が監視対象となる。
【００４７】
図１２は、図８の（１）〜（３）に該当する切断動作において、通信装置１００Ｂ１と通信装置１００Ｂ２とが実行する処理のシーケンスチャートを示す。本実施形態の切断処理では、通信装置１００Ｂ２は、通信装置１００Ｂ１が通信装置１００Ａ１との接続を切断されたことを検出したとき、通信装置１００Ａ１との接続を切断する。
【００４８】
まず、通信装置１００Ａ１は、通信装置１００Ｂ１及び通信装置１００Ｂ２と接続中であり（図８（１））、さらに、通信装置１００Ｂ２は通信装置１００Ｂ１をＳＰＰプロファイル１２Ｄで監視中である（Ｓ３０１）。
【００４９】
通信装置１００Ｂ２は、通信装置１００Ｂ１へ、接続状態を変更したか否かを問い合わせる（Ｓ３０２）。通信装置１００Ｂ２はＳ３０２の処理を１秒などの定期間隔で実行する。
【００５０】
通信装置１００Ｂ２はＳ３０２の結果に基づき、通信装置１００Ｂ１の接続状態が変更されたか否かを判断する（Ｓ３０３）。たとえば、通信装置１００Ｂ１の接続状態が変更された場合、通信装置１００Ｂ１は通信装置１００Ｂ２の問い合わせに応答するときの通信パケットの特定のビットを立て、通信装置１００Ｂ２は、通信装置１００Ｂ１の接続状態が変更されたことを検出する。通信装置１００Ｂ２は、通信装置１００Ｂ１の接続状態が変更されていないと判断した場合（Ｓ３０３でＮＯ）、監視を継続する（Ｓ３０２）。
【００５１】
通信装置１００Ｂ１は、通信装置１００Ａ１との接続を切断する（図８（２）、Ｓ３０４）。なお、通信装置１００Ｂ１は図６（２）と同様、ユーザによって切り替えスイッチ１４が押下されることによって通信装置１００Ａ１との接続を切断する。Ｓ３０４が実行されたあと、通信装置１００Ｂ２は、Ｓ３０２の問い合わせ処理により、通信装置１００Ｂ１の接続状態が変更されたことを検出する（Ｓ３０３でＹＥＳ）。
【００５２】
通信装置１００Ｂ２は、通信装置１００Ｂ１へ、接続状態変更の詳細情報を要求する（Ｓ３０５）。接続状態変更の詳細とは、通信装置１００Ｂ１の接続状態変更が接続または切断のいずれであるかという情報と、通信装置１００Ｂ１が接続または切断した相手の通信装置１００（通信装置１００Ａ１）の情報とを含む。
【００５３】
通信装置１００Ｂ１は、接続または切断の発生と、相手の通信装置１００である通信装置１００Ａ１との情報とを通信装置１００Ｂ２へ送信する（Ｓ３０６）。Ｓ３０６において通信装置１００Ｂ１から送信される情報は、切断であるという情報と、相手の通信装置１００は通信装置１００Ａ１であるという情報とである。なお、この情報はＳ３０２の通信と同時に通信装置１００Ｂ１が通信装置１００Ｂ２へ送信してもよい。
【００５４】
通信装置１００Ｂ２は、Ｓ３０６の情報に基づき、通信装置１００Ａ１と接続を切断する（図８（３）、Ｓ３０７）。そして、通信装置１００Ｂ２は監視処理を継続する（Ｓ３０２）。
【００５５】
図１３は、図８の（４）及び（５）の接続動作において、通信装置１００Ｂ１と通信装置１００Ｂ２とが実行する処理のシーケンスチャートを示す。図１２と同一の処理には同一符号を付し、説明を省略する。本実施形態の接続処理では、通信装置１００Ｂ２は、通信装置１００Ｂ１が通信装置１００Ａ２と接続されたことを検出し、通信装置１００Ｂ２も通信装置１００Ａ２と接続する。
【００５６】
通信装置１００Ｂ２は、通信装置１００Ｂ１が通信装置１００Ａ２と接続する（図８（４）、Ｓ４０１）ことにより、接続状態が変更されたことを検出し（Ｓ３０３でＹＥＳ）、通信装置１００Ｂ２は、通信装置１００Ｂ１へ、接続状態変更の詳細を送信するよう要求する（Ｓ３０５）。
【００５７】
通信装置１００Ｂ１は、接続であるという情報と、接続先の通信装置１００（通信装置１００Ａ２）の情報とを送信する（Ｓ４０２）。通信装置１００Ｂ２は、Ｓ４０２の情報に基づき、通信装置１００Ａ２と接続する（図８（５）、Ｓ４０３）。そして、通信装置１００Ｂ２は監視処理を継続する（Ｓ３０２）。
【００５８】
本実施形態２では、通信装置１００Ｂ２が、通信装置１００Ｂ１の接続状態を監視し、通信装置１００Ｂ２が通信装置１００Ｂ１の接続状態の変更を検出した場合、通信装置１００Ｂ１が実行した接続切替と同一の接続切替処理を実行する。これにより、ユーザは通信装置１００Ｂ１において接続先を通信装置１００Ａ１から通信装置１００Ａ２へ切り替える操作をするだけで、通信装置１００Ｂ２も自動的に通信装置１００Ａ２へ接続される。
【００５９】
[通信装置１００が接続を切り替える実施形態３]
図１４は、第３の実施形態の概要動作を示す。図１５は、実施形態３の処理を実行するときの各通信装置１００のブロック図を示す。図１のブロック図に加え、通信装置１００Ｂ１と通信装置１００Ｂ２とは、ＳＰＰプロファイル１２Ｄを有する。通信装置１００Ｂ１は、接続状態変更通知部１１Ａを有する。接続状態変更通知部１１Ａは、通信装置１００Ｂ１が接続先の通信装置１００を変更したとき、通信装置１００Ｂ２へＳＰＰプロファイル１２Ｄを利用して、接続状態を変更したことを通知する。なお、本実施形態において、通信装置１００Ａ１及び通信装置１００Ａ２は、通信装置管理情報１２Ａに、グループＩＤ１２Ｂを有する必要はない。
【００６０】
図１６は、図１４の（１）〜（３）の切断動作において、通信装置１００Ｂ１と通信装置１００Ｂ２とが実行する処理のシーケンスチャートを示す。図１２と同一の処理には同一符号を付し、説明を省略する。
【００６１】
通信装置１００Ｂ１及び通信装置１００Ｂ２は通信装置１００Ａ１と接続中である(図１４（１）)。通信装置１００Ｂ１は、通信装置１００Ａ１との接続を切断したとき、ＳＰＰプロファイル１２Ｄを利用して通信中である通信装置１００Ｂ２へ、切断の発生と、切断先の通信装置１００が通信装置１００Ａ１であるという情報とを送信する（図１４（２）、Ｓ５０１）。
【００６２】
通信装置１００Ｂ２は、切断情報と、切断先の通信装置１００の情報とを受信し（Ｓ５０２）、通信装置１００Ａ１との接続を切断する（Ｓ３０７）。
【００６３】
図１７は、図１４の（４）及び（５）の接続動作において、通信装置１００Ｂ１と通信装置１００Ｂ２とが実行する処理のシーケンスチャートを示す。図１３と同一の処理には同一符号を付し、説明を省略する。
【００６４】
通信装置１００Ｂ１は、通信装置１００Ａ２と新たに接続する（図１４（４）、Ｓ３０１）。通信装置１００Ｂ１は、接続の発生と、接続先の通信装置１００が通信装置１００Ａ２であるという情報を通信装置１００Ｂ２へ送信する（Ｓ６０１）。通信装置１００Ｂ２は、Ｓ６０１によって送信された情報を受信し（Ｓ６０２）、通信装置１００Ａ２と接続する（図１４（５）、Ｓ４０３）。
【００６５】
以上の実施形態３によると、通信装置１００Ｂ１は、自装置のグループＩＤ１２Ｂと同一のグループＩＤ１２Ｂを有する通信装置１００Ｂ２へ、自装置の接続状態が変更されたことを送信するので、通信装置１００Ｂ２は通信装置１００Ｂ１の接続状態を定期的に監視する必要がない。
【００６６】
[通信装置１００が接続を切り替える実施形態４]
図１８は、通信システムにおいて通信装置１００Ｂ１及び通信装置１００Ｂ２が、通信装置１００Ａ１と接続中に、通信装置１００Ａ１の電源がＯＦＦになったときの概要動作を示す。本実施形態における通信装置１００のブロック図は、図１のブロック図の構成と同一である。図１９は、図１８の動作を説明するための通信装置１００Ｂ１、１００Ｂ２、１００Ａ１及び１００Ａ２のシーケンスチャートを示す。図７と同一の処理には同一符号を付し、説明を省略する。本実施形態によると、通信装置１００Ａ１の電源が切断された場合に、通信装置１００Ｂ１は、ネットワーク内から接続可能な他の通信装置１００を探索し、自動的に接続を開始する。
【００６７】
図１８（１）に示されるように、通信装置１００Ｂ１は、通信装置１００Ａ１と接続中であり（Ｓ７０１）、同時に通信装置１００Ｂ２も通信装置１００Ａ１と接続中である（Ｓ７０２）。
【００６８】
次に、通信装置１００Ａ１の電源が遮断され（Ｓ７０３）、通信装置１００Ｂ１は通信装置１００Ａ１と接続できなくなり（Ｓ７０４）、通信装置１００Ｂ２も同様に通信装置１００Ａ１と接続できなくなる（Ｓ７０５）。
【００６９】
これにより、通信状態は図１８（２）に示されるように、通信装置１００Ｂ１及び通信装置１００Ｂ２は、通信装置１００Ａ１と接続していない状態になる。
【００７０】
通信装置１００Ｂ１は、突然の接続遮断を検出した場合、図５の通信装置管理情報１２Ａ（ｂ１）を参照する（Ｓ７０６）。
【００７１】
通信装置１００Ｂ１は、通信装置管理情報１２Ａ（ｂ１）に登録されている通信装置１００に順に接続を実行する（Ｓ７０７）。このとき、通信装置１００Ｂ１は、接続用のプロファイルとして、ＨＩＤプロファイル１２Ｃを使用する。なぜなら、通信装置１００Ｂ１はワイヤレスキーボードを想定しており、ＨＩＤプロファイル１２Ｃを有する他の通信装置１００と接続する必要があるためである。
【００７２】
通信装置１００Ｂ１は、接続が成功したか否かを判断し（Ｓ７０８）、成功しなかった場合（Ｓ７０８でＮＯ）、次の通信装置１００の情報を取得する（Ｓ７０６）。
【００７３】
通信装置１００Ｂ１が、通信装置１００Ａ２と接続を実行したとき、通信装置１００Ａ２は接続処理を実行する（図１８（３）、Ｓ７０９）。これにより、通信装置１００Ｂ１の接続が成功する（Ｓ７０８でＹＥＳ）。
【００７４】
通信装置１００Ａ２は、通信装置１００Ａ２へ接続要求を送信した通信装置（通信装置１００Ｂ１）と対になるグループＩＤ１２Ｂを有する通信装置１００が通信装置管理情報１２Ａに存在するか否かを判断（Ｓ１１０）する。通信装置１００Ａ２は、Ｓ１１０の処理により通信装置１００Ｂ２を特定し、通信装置１００Ｂ２へ接続の要求を送信し（Ｓ１１１、図１８（４））、通信装置１００Ｂ２は通信装置１００Ａ２と接続する（図１８（５）、Ｓ７１０）。なお、通信装置１００Ｂ１の処理を通信装置１００Ｂ２が実行してもよい。また、通信装置１００Ｂ１は、図５の通信装置管理情報１２Ａ（ｂ１）に登録されているすべての通信装置１００のいずれとも接続できなかった場合、処理を終了してもよいし、一定時間後（たとえば、５分後など）に、再度Ｓ７０６以降の処理を実行してもよい。
【００７５】
本実施形態によると、通信装置１００Ｂ１と通信装置１００Ｂ２とが通信装置１００Ａ１と通信できなくなった場合、通信装置１００Ｂ１及び通信装置１００Ｂ２は、他の通信装置１００との接続を自動的に確立するので、ユーザは手動で通信装置１００Ｂ１と通信装置１００Ｂ２とを他の通信装置１００へ接続させる必要がない。
【００７６】
[通信装置１００が接続を切り替える実施形態５]
図２０は、通信システムにおいて通信装置１００Ｂ１及び通信装置１００Ｂ２が、通信装置１００Ａ１と接続中に、通信装置１００Ａ１の電源がＯＦＦになったときの他の動作概要を示す。電源がＯＦＦの状態とは、たとえばシャットダウン状態、スタンバイ状態など、通信装置１００Ａ１が他の通信装置１００とＢｌｕｅｔｏｏｔｈで通信できない状態である。本実施形態における通信装置１００のブロック図は、図１のブロック図の構成と同一である。図２１は、図２０の動作を説明するための通信装置１００Ｂ１、１００Ｂ２、１００Ａ１及び１００Ａ２のシーケンスチャートを示す。図７または図１９と同一の処理には同一符号を付し、説明を省略する。本実施形態によると、通信装置１００Ａ１が電源ＯＦＦされた場合に、通信装置１００Ａ１は、通信装置１００Ａ１が電源ＯＦＦの処理を実行することを示す通知を通信装置１００Ｂ１及び通信装置１００Ｂ２へ送信する。
【００７７】
図２０（１）に示すように、通信装置１００Ｂ１は、通信装置１００Ａ１と接続中であり（Ｓ７０１）、同時に通信装置１００Ｂ２は通信装置１００Ａ１と接続中である（Ｓ７０２）。通信装置１００Ａ１は、ユーザ操作により通信装置１００Ａ１を電源ＯＦＦする操作を受信する（Ｓ８０１）。
【００７８】
通信装置１００Ａ１は、通信装置１００Ｂ１へ、接続を切断することを通知する（図２０（２）、Ｓ８０２）。通信装置１００Ｂ１は、通信装置１００Ａ１から、切断の発生を示す通知を受信する（Ｓ８０３）。以下、通信装置１００Ａ２、１００Ｂ１、１００Ｂ２は、図１９のＳ７０６以降と同一の処理を実行する。
【００７９】
本実施形態によると、通信装置１００Ａ１は電源ＯＦＦ時に通信装置１００Ｂ１と通信装置１００Ｂ２とに、接続ができなくなることを通知するので、通信装置１００Ｂ１と通信装置１００Ｂ２とは、自動的に他の通信装置１００と接続を確立することができる。なお、通信装置１００Ｂ１の処理を通信装置１００Ｂ２が実行してもよい。
【００８０】
以上、本発明の好ましい実施形態について説明したが、本発明はこれらの実施形態には限定されない。
通信装置１００Ａ１と通信装置１００Ａ２とがワイヤレス送信機で、通信装置１００Ｂ１及び通信装置１００Ｂ２はワイヤレススピーカであってもよい。そのとき、通信装置１００の間で通信されるデータは音声データや静止画データや動画データである。また、通信装置１００Ｂ１が備える切り替えスイッチ１４を通信装置１００Ｂ２が備えてもよいし、両方とも備えていてもよい。また、通信装置１００Ｂ１と通信装置１００Ｂ２は処理の役割が逆であってもよい。
【産業上の利用可能性】
【００８１】
本発明は、ＰＣや、ワイヤレス送受信装置に好適に採用され得る。
【符号の説明】
【００８２】
１００Ａ１              通信装置
１００Ａ２              通信装置
１００Ｂ１              通信装置
１００Ｂ２              通信装置
１１                            制御部
１１Ａ                  接続状態変更通知部
１１Ｂ                  接続状態変更監視部
１２                    記憶部
１２Ａ                  通信装置管理情報
１２Ｂ                  グループＩＤ
１２Ｃ                  ＨＩＤプロファイル
１２Ｄ                  ＳＰＰプロファイル
１３                    通信部
１４                    切り替えスイッチ
【図１】
0005729223.tif 000002
【図２】
0005729223.tif 000003
【図３】
0005729223.tif 000004
【図４】
0005729223.tif 000005
【図５】
0005729223.tif 000006
【図６】
0005729223.tif 000007
【図７】
0005729223.tif 000008
【図８】
0005729223.tif 000009
【図９】
0005729223.tif 000010
【図１０】
0005729223.tif 000011
【図１１】
0005729223.tif 000012
【図１２】
0005729223.tif 000013
【図１３】
0005729223.tif 000014
【図１４】
0005729223.tif 000015
【図１５】
0005729223.tif 000016
【図１６】
0005729223.tif 000017
【図１７】
0005729223.tif 000018
【図１８】
0005729223.tif 000019
【図１９】
0005729223.tif 000020
【図２０】
0005729223.tif 000021
【図２１】
0005729223.tif 000022